【事件の表示】
　特許第３１１１４６５号「音声信号再生装置」の請求項１に係る特許に対する特許異議の申立てについて、次のとおり決定する。
【結　論】
　訂正を認める。
　特許第３１１１４６５号の請求項１に係る特許を維持する。
【理　由】
［１］手続の経緯
　本件特許３１１１４６５号の請求項１に係る発明についての出願は、平成２年８月２９日に特許出願され、平成１２年９月２２日にその発明について特許権の設定登録がされ、その後、その特許について、異議申立人パイオニア株式会社により特許の異議の申立がなされ、取消しの理由が通知され、その指定期間内である平成１３年１０月２３日に訂正請求（後日取下げ）がなされた後、再度の取消理由が通知され、その指定期間内である平成１４年１月２９日に訂正請求がなされたものである。
［２］訂正の適否についての判断
［２−１］訂正の内容
　特許権者が求めている訂正の内容は、以下のとおりの訂正事項である。
　・訂正事項ａ
　特許請求の範囲の請求項１に係わる記載を
「【請求項１】光ディスクから再生された再生信号に基づき生成されたステレオ音声信号を伝送する一対の伝送路と、上記ステレオ音声信号の和信号をそれぞれ伝送する第３及び第４の伝送路とを備え、この第３及び第４の伝送路の一方により第３の音声信号を伝送するようにした音声信号再生装置において、上記再生信号から、少なくとも映像信号、上記和信号、当該和信号に上記第３の音声信号が重畳される重畳信号、及びデジタル音声信号を分離すると共に、当該映像信号を表示手段に供給する音声映像信号分離手段と、上記デジタル音声信号より上記ステレオ音声信号を生成し上記一対の伝送路に供給する信号処理手段と、上記第３及び第４の伝送路により伝送される上記和信号及び上記重畳信号との差信号を形成する差信号形成手段とを設け、上記差信号を上記一対の伝送路にそれぞれ供給するようにしたことを特徴とする音声信号再生装置。」に訂正する。
・訂正事項ｂ
　明細書第２項第１行乃至第１５行（公報第１欄末行乃至第２欄第１２行）を下記の如く訂正する。
「〔発明の概要〕この発明は、いわゆる「カラオケ」用の「音声多重デジタルディスク」に対応して、この音声多重デジタルディスクから再生された再生信号に基づき生成されたデジタル音声信号を伝送する一対の伝送路と、アナログモノラル音声信号の和信号をそれぞれ伝送する第３及び第４の伝送路とを備え、この第３及び第４の伝送路の一方によりボーカル信号を伝送するようにした音声信号再生信号において、再生信号から、少なくとも映像信号、和信号、この和信号にボーカル信号が重畳される重畳信号、及びデジタル音声信号を分離すると共に、映像信号を表示手段に供給する音声映像信号分離手段と、デジタル音声信号よりステレオ音声信号を生成し一対の伝送路に供給する信号処理手段と、第３及び第４の伝送路により伝送される和信号及び重畳信号との差信号を形成する差信号形成手段とを設け、差信号を一対の伝送路にそれぞれ供給するようにしデジタル及びアナログの両音声信号間の干渉を防止して、再生信号の品位を向上させるようにしたものである。」
・訂正事項ｃ
　明細書第６項第３行乃至第１３行（公報第４欄第８行乃至第１７行）を下記の如く訂正する。
「【課題を解決するための手段】この発明は、光ディスクＤから再生された再生信号に基づき生成されたステレオ音声信号ＳＢＬ，ＳＢＲを伝送する一対の伝送路ＬＤ，ＲＤと、ステレオ音声信号の和信号ＳＢＭをそれぞれ伝送する第３及び第４の伝送路ＬＡ，ＲＡとを備え、この第３及び第４の伝送路の一方により第３の音声信号ＳＶを伝送するようにした音声信号再生装置において、再生信号から、少なくとも映像信号、和信号ＳＢＭ、この和信号ＳＢＭに第３の音声信号ＳＶが重畳される重畳信号ＳＢＭ＋ＳＶ、及びデジタル音声信号を分離すると共に、映像信号を表示手段７に供給する音声映像信号分離手段２〜５と、デジタル音声信号よりステレオ音声信号ＳＢＬ，ＳＢＲを生成し一対の伝送路ＬＤ，ＲＤに供給する信号処理手段１０と、第３及び第４の伝送路ＬＡ，ＲＡにより伝送される和信号ＳＢＭ及び重畳信号ＳＢＭ＋ＳＶとの差信号を形成する差信号形成手段２１とを設け、差信号を一対の伝送路ＬＤ，ＲＤにそれぞれ供給するようにしたことを特徴とする音声信号再生装置」
・訂正事項ｄ
　明細書第９頁１８行乃至第１０頁第１３行（公報第５欄第２３行乃至第６欄第１３行）を下記の如く訂正する。
「【発明の効果】以上詳述のように、この発明によれば、光ディスクから再生された再生信号に基づき生成されたステレオ音声信号を伝送する一対の伝送路と、ステレオ音声信号の和信号をそれぞれ伝送する第３及び第４の伝送路とを備え、この第３及び第４の伝送路の一方により第３の音声信号を伝送するようにした音声音号再生装置において、再生信号から、少なくとも映像信号、和信号、この和信号に第３の音声信号が重畳される重畳信号、及びデジタル音声信号を分離すると共に、映像信号を表示手段に供給する音声映像信号分離手段と、デジタル音声信号よりステレオ音声信号を生成し一対の伝送路に供給する信号処理手段と、第３及び第４の伝送路により伝送される和信号及び重畳信号との差信号を形成する差信号形成手段とを設け、差信号を一対の伝送路にそれぞれ供給するようにして和信号を相殺し、ボーカル信号のみをデジタル音声信号に重畳するようにしたので、デジタル及びアナログの両音声信号間の干渉を防止することができて、再生音声の品位を向上させることができる音声信号再生装置が得られる。」
［２−２］訂正の目的の適否、新規事項の有無及び拡張・変更の存否
　訂正事項ａは、特許明細書の第２頁第２９行ないし３８行の記載に基づいて、「ステレオ音声信号」を「光ディスクから再生された再生信号に基づき生成されたステレオ音声信号」に限定し、さらに、「上記再生信号から、少なくとも映像信号、上記和信号、当該和信号に上記第３の音声信号が重畳される重畳信号、及びデジタル音声信号を分離すると共に当該映像信号を表示手段に供給する音声映像信号分離手段と」と限定し、また、特許明細書の第２頁第４１行ないし４６行の記載に基づいて、「上記デジタル音声信号より上記ステレオ音声信号を生成し上記一対の伝送路に供給する信号処理手段と」と限定し、そして、特許明細書の第２頁第４７行ないし３頁５行の記載に基づいて、「音声信号の差信号」を「上記和信号及び上記重畳信号との差信号」と限定したものであるので、特許請求の範囲の減縮を行うものである。
　訂正事項ｂないしｄは、特許請求の範囲の訂正にともない、対応する箇所を訂正するものであり、明りょうでない記載の釈明に該当する。
　よって、上記訂正は、特許明細書の記載に基づいて、特許請求の範囲を更に限定し、特許請求の範囲の減縮または明りょうでない記載の釈明に該当するものであって、新規事項の追加に該当せず、実質的に特許請求の範囲を拡張又は変更するものでない。
［２ー３］むすび
　以上のとおりであるから、上記訂正は、特許法第１２０条の４第２項及び第３項で準用する特許法第１２６条第２項ないし第３項の規定に適合するので、該当訂正を認める。
［３］特許異議申立についての判断
［３−１］申立の理由の概要
　申立人パイオニア株式会社は、証拠として、甲第１号証（特願平１−２０６８３３号（特開平２−２２３３００号公報）、以下「先願明細書１」という。）を提出し、特許請求の範囲の請求項１に係る特許発明は、特許法第２９条の２の規定に違反してなされたものであるので、特許を取り消すべきものと主張している。
［３−２］本件発明
　上記訂正請求により訂正された訂正明細書の特許請求の範囲の請求項１に係る発明（以下「本件発明」という。）は、その請求項１に記載されたとおりのものである。
「【請求項１】上記［２−１］のとおり。」
［３−３］先願明細書１
　本件発明に対して、申立人パイオニア株式会社が提出した、本件出願前の出願であってその出願後に出願公開された願書に最初に添付した明細書及び図面である上記先願明細書１には、「オートボイスチェンジ装置」に関して、「音多ディスクに記録されているＬ，Ｒチャンネルの信号を減算増幅器１４Ａの各入力端子に供給すると、Ｌ，Ｒチャンネルに共通して記録されている演奏信号は相殺され、一方のチャンネルのみに記録されている演奏信号のみを出力することになる。１５Ｌは音声信号抽出回路１４が出力する音声信号をＬチャンネルの音楽信号に加算してＬチャンネルの出力信号とする加算器、１５Ｒは音声信号抽出回路１４が出力する音声信号をＲチャンネルの音楽信号に加算してＲチャンネルの出力信号とする加算器を示す。すなわち、アナログ信号が音多で、ディジタル信号がステレオで記録された再生ディスクを再生する場合、音声信号抽出回路１４で抽出されたアナログ信号の音声信号を、ディジタル信号の演奏信号に加算することになり、高音質のＢＧＭを有する音楽信号を得ることができるのである。」（公報第４頁右上欄第１７行ないし左下欄１４行）が記載されている。
［３−４］対比・判断
　本件発明と先願明細書１に記載された発明とを対比すると、先願明細書１の「ディジタル信号がステレオ」、「Ｌ，Ｒチャンネルに共通して記録されている演奏信号」、「一方のチャンネルのみに記録されている演奏信号」、「減算増幅回路」は、それぞれ本件発明の「ステレオ音声信号」、「ステレオ音声信号の和信号」、「第３の音声信号」、「差信号形成手段」に相当している。
　しかしながら、本件発明は、「上記再生信号から、少なくとも映像信号、上記和信号、当該和信号に上記第３の音声信号が重畳される重畳信号、及びデジタル音声信号を分離すると共に当該映像信号を表示手段に供給する音声映像信号分離手段」及び「上記デジタル音声信号より上記ステレオ音声信号を生成し上記一対の伝送路に供給する信号処理手段」とを構成要件として具備するものであるのに対し、上記先願明細書１に記載された発明は、本件発明の構成に欠くことのできない事項である上記構成要件を備えておらず、自明の事項でもない。
　よって、本件発明は、先願明細書１に記載された発明であるとすることはできない。
［４］本件発明と先願明細書２との対比・判断
　［４−１］先願明細書２
　本件発明に対して、当審が通知した取消理由で引用した、本件出願前の出願であってその出願後に出願公開された願書に最初に添付した明細書及び図面である特願平１−２５６１１３号（特開平３−１１９５６５号公報）、以下「先願明細書２」という。）には、「情報信号記録円盤再生装置」に関して、「ディスクをディスク再生部５１で再生すると、主画面に応じた一連の映像信号及びＣＨ１，ＣＨ２の信号が出力され、これと同時に、音声信号処理部５２からＣＨ３，ＣＨ４の信号が出力される。ＣＨ１〜ＣＨ４の信号は混合切換部２に全て供給される。」（公報第５頁左下欄第５行ないし１０行）、「この音声信号と同時に、ディスク再生部５１から再生された映像信号はメインモニタ５９に供給される。」（公報第５頁右下欄第１行ないし３行）、「さて、上記したディスク再生装置１を、前述したステレオ再生でのボーカル付カラオケ、ステレオ再生でのメロディ付カラオケとして使用する場合、ＣＨ１〜ＣＨ４の信号にそれぞれ記録されているのは、
　ＣＨ１＝伴奏（左）＋伴奏（右）＋メロディ
　ＣＨ２＝伴奏（左）＋伴奏（右）＋メロディ＋ボーカル
  ＣＨ３＝伴奏（左）
  ＣＨ４＝伴奏（右）
の各信号である。」（公報第５頁左上欄第１６行ないし右上欄６行）、「同様に、「ステレオ再生でのボーカル付カラオケ」が選択されると、切換スイッチ１１は端子１１ｂへ切り換えられ、これにより抽出回路５からのボーカル音声は調整ボリウム１０を介して加算回路８，９にそれぞれ供給され、ここで、伴奏（右））＋ボーカルの演奏が行われ、これらの
　（ＣＨ３＝伴奏（左））＋ボーカル
  （ＣＨ４＝伴奏（右））＋ボーカル
の加算出力は選択器３へ供給される。」（公報第７頁左下欄第１８行ないし右下欄８行）が記載されている。
［４−２］対比・判断
  本件発明と先願明細書２に記載された発明とを対比すると、先願明細書２の「伴奏」、「伴奏（左）＋伴奏（右）」、「ボーカル」、「メインモニタ」、「抽出回路」は、それぞれ本件発明の「ステレオ音声信号」、「ステレオ音声信号の和信号」、「第３の音声信号」、「表示手段」、「差信号形成手段」に相当している。
　しかしながら、本件発明は、「上記再生信号から、少なくとも映像信号、上記和信号、当該和信号に上記第３の音声信号が重畳される重畳信号、及びデジタル音声信号を分離すると共に当該映像信号を表示手段に供給する音声映像信号分離手段」及び「上記デジタル音声信号より上記ステレオ音声信号を生成し上記一対の伝送路に供給する信号処理手段」とを構成要件として具備するものであるのに対し、上記先願明細書２に記載された発明は、本件発明の構成に欠くことのできない事項である上記構成要件を備えておらず、自明の事項でもない。
　よって、本件発明は、先願明細書２に記載された発明であるとすることはできない。
［５］むすび
　以上のとおりであるから、特許異議申立の理由及び証拠又はその他の証拠によっては、本件請求項１に係る発明の特許を取り消すことはできない。
　また、他に本件請求項１に係る発明の特許を取り消すべき理由を発見しない。
よって、結論のとおり決定する。
【異議決定日】
平成１４年２月１２日（２００２．２．１２）
【訂正の要旨】
訂正の要旨
▲１▼　訂正事項ａ
　特許請求の範囲の請求項１に係わる記載を
「【請求項１】　光ディスクから再生された再生信号に基づき生成されたステレオ音声信号を伝送する一対の伝送路と、上記ステレオ音声信号の和信号をそれぞれ伝送する第３及び第４の伝送路とを備え、この第３及び第４の伝送路の一方により第３の音声信号を伝送するようにした音声信号再生装置において、
　上記再生信号から、少なくとも映像信号、上記和信号、当該和信号に上記第３の音声信号が重畳される重畳信号、及びデジタル音声信号を分離すると共に、当該映像信号を表示手段に供給する音声映像信号分離手段と、
　上記デジタル音声信号より上記ステレオ音声信号を生成し上記一対の伝送路に供給する信号処理手段と、
　上記第３及び第４の伝送路により伝送される上記和信号及び上記重畳信号との差信号を形成する差信号形成手段とを設け、
　上記差信号を上記一対の伝送路にそれぞれ供給するようにしたことを特徴とする音声信号再生装置。」に訂正する。
▲２▼　訂正事項ｂ
　　明細書第２頁第１行乃至第１５行（公報第１欄末行乃至第２欄第１２行）を下記の如く訂正する。
「〔発明の概要〕
　この発明は、いわゆる「カラオケ」用の「音声多重デジタルディスク」に対応して、この音声多重デジタルディスクから再生された再生信号に基づき生成されたデジタル音声信号を伝送する１対の伝送路と、アナログモノラル音声信号の和信号をそれれぞれ伝送する第３及び第４の伝送路とを備え、この第３及び第４の伝送路の一方によりボーカル信号を伝送するようにした音声信号再生装置において、再生信号から、少なくとも映像信号、和信号、この和信号にボーカル信号が重畳される重畳信号、及びデジタル音声信号を分離すると共に、映像信号を表示手段に供給する音声映像信号分離手段と、デジタル音声信号よりステレオ音声信号を生成し一対の伝送路に供給する信号処理手段と、第３及び第４の伝送路により伝送される和信号及び重畳信号との差信号を形成する差信号形成手段とを設け、差信号を一対の伝送路にそれぞれ供給するようにしデジタル及びアナログの両音声信号間の干渉を防止して、再生音声の品位を向上させるようにしたものである。」
▲３▼　訂正事項ｃ
　明細書第６頁第３行乃至第１３行（公報第４欄第８行乃至第１７行）を下記の如く訂正する。
「【課題を解決するための手段】
　この発明は、光ディスクＤから再生された再生信号に基づき生成されたステレオ音声信号ＳＢＬ，ＳＢＲを伝送する１対の伝送路ＬＤ，ＲＤと、ステレオ音声信号の和信号ＳＢＭをそれぞれ伝送する第３及び第４の伝送路ＬＡ，ＲＡとを備え、この第３及び第４の伝送路の一方により第３の音声信号ＳＶを伝送するようにした音声信号再生装置において、再生信号から、少なくとも映像信号、和信号ＳＢＭ、この和信号ＳＢＭに第３の音声信号ＳＶが重畳される重畳信号ＳＢＭ＋ＳＶ、及びデジタル音声信号を分離すると共に、映像信号を表示手段７に供給する音声映像信号分離手段２〜５と、デジタル音声信号よりステレオ音声信号ＳＢＬ，ＳＢＲを生成し一対の伝送路ＬＤ，ＲＤに供給する信号処理手段１０と、第３及び第４の伝送路ＬＡ，ＲＡにより伝送される和信号ＳＢＭ及び重畳信号ＳＢＭ＋ＳＶとの差信号を形成する差信号形成手段２１とを設け、差信号を一対の伝送路ＬＤ，ＲＤにそれぞれ供給するようにしたことを特徴とする音声信号再生装置」
▲４▼　訂正事項ｄ
　明細書第９頁１８行乃至第１０頁第１３行（公報第５欄第２３行乃至第６欄第１３行）を下記の如く訂正する。
「【発明の効果】
　以上詳述のように、この発明によれば、光ディスクから再生された再生信号に基づき生成されたステレオ音声信号を伝送する一対の伝送路と、ステレオ音声信号の和信号をそれぞれ伝送する第３及び第４の伝送路とを備え、この第３及び第４の伝送路の一方により第３の音声信号を伝送するようにした音声信号再生装置において、再生信号から、少なくとも映像信号、和信号、この和信号に第３の音声信号が重畳される重畳信号、及びデジタル音声信号を分離すると共に、映像信号を表示手段に供給する音声映像信号分離手段と、デジタル音声信号よりステレオ音声信号を生成し一対の伝送路に供給する信号処理手段と、第３及び第４の伝送路により伝送される和信号及び重畳信号との差信号を形成する差信号形成手段とを設け、差信号を一対の伝送路にそれぞれ供給するようにして和信号を相殺し、ボーカル信号のみをデジタル音声信号に重畳するようにしたので、デジタル及びアナログの両音声信号間の干渉を防止することができて、再生音声の品位を向上させることができる音声信号再生装置が得られる。」
（５４）【発明の名称】
音声信号再生装置
（５７）【特許請求の範囲】
　【請求項１】　光ディスクから再生される再生信号から分離されたステレオ音声信号を伝送する１対の伝送路と、
　上記ステレオ音声信号の和信号をそれぞれ伝送する第３及び第４の伝送路とを備え、この第３及び第４の伝送路の一方により第３の音声信号を伝送するようにした音声信号再生装置において、
　上記再生信号から映像信号を分離すると共に表示手段に供給する映像信号分離手段と、上記第３及び第４の伝送路により伝送される音声信号の差信号を形成する差信号形成手段を設け、
　上記差信号を上記１対の伝送路にそれぞれ供給するようにしたことを特徴とする音声信号再生装置。
【発明の詳細な説明】
　【０００１】
　【産業上の利用分野】
　この発明は、いわゆる「カラオケ」用に好適な音声信号再生装置に関する。
　【０００２】
〔発明の概要〕
　この発明は、いわゆる「カラオケ」用の「音声多重デジタルディスク」に対応して、この音声多重デジタルディスクから再生された再生信号から分離されたデジタルステレオ演奏信号を伝送する１対の伝送路と、アナログモノラル演奏信号をそれれぞれ伝送する第３及び第４の伝送路とを備え、この第３及び第４の伝送路の一方によりボーカル信号を伝送するようにした音声信号再生装置において、再生信号から映像信号を分離すると共に表示手段に供給する映像信号分離手段と第３及び第４の伝送路により伝送される音声信号の差信号を形成する差信号形成手段を設けて、アナログモノラル演奏信号を相殺し、ボーカル信号のみをデジタルステレオ演奏信号に重畳することにより、デジタル及びアナログの両演奏信号間の干渉を防止して、再生音声の品位を向上させるようにしたものである。
　【０００３】
　【従来の技術】
　従来、磁気テープや光ディスク等の媒体に記録された歌唱伴奏用の演奏の音声信号を再生する、いわゆる「カラオケ」装置が広く用いられている。
　【０００４】
　「カラオケ」用の光ディスクには、図２に示すように、ＦＭ形式の映像信号ＶＦＭが高域に配置され、その下側にＦＭ形式のアナログ音声信号ＡＦＭが配置されると共に、コンパクトディスクと同様形式のデジタル音声信号ＰＣＭが低域に配置されたものがある。
　【０００５】
　この種の光ディスクでは、アナログ及びデジタルの両音声信号に対し、それぞれ２つのチャンネルが用意されており、デジタル音声信号ＰＣＭの２チャンネルＬＤ，ＲＤには演奏のみがステレオ形式で録音される。
　【０００６】
　一方、アナログ音声信号ＡＦＭの２チャンネルＬＡ，ＲＡには、デジタルの２チャンネルＬＤ，ＲＤと同じ演奏がモノラル形式（和信号形式）でそれぞれ録音されると共に、演奏に重畳して、歌手による歌唱（ボーカル）が右チャンネルＲＡに録音される。
　【０００７】
　上述のような光ディスクは、「音声多重デジタルディスク」と通称され、高音質の演奏が再生されると共に、この演奏に重畳してボーカルを再生することができ、このボーカルに倣って、使用者が歌唱練習をすることができる。
　【０００８】
　【発明が解決しようとする課題】
　ところで、「音声多重デジタルディスク」対応の従来の再生装置では、図３に示すように、デジタルの２チャンネルＬＤ，ＲＤの演奏信号ＳＢＬ，ＳＢＲが、加算器１１，１２及び増幅器１３，１４をそれぞれ介して、スピーカ１５，１６に供給されると共に、アナログの右チャンネルＲＡのボーカル信号ＳＶおよびモノラル演奏信号ＳＢＭが、可変抵抗器１７を介して、加算器１１，１２に共通に供給される。
　【０００９】
　ところが、アナログチャンネルＲＡの演奏信号ＳＢＭがモノラルであるため、これの重畳により、デジタルチャンネルＬＤ，ＲＤのステレオ演奏信号ＳＢＬ，ＳＢＲの分離度が劣化するという問題があった。
　【００１０】
　また、再生装置のデジタル信号処理回路（図示を省略）における所定の処理に、例えば数十ｍｓの時間を要し、デジタルチャンネルＬＤ，ＲＤの演奏信号ＳＢＬ，ＳＢＲは、無遅延のアナログチャンネルＲＡのモノラル演奏信号ＳＢＭ（＝ＳＢＬ＊＋ＳＢＲ＊）に対して、処理時間分だけ遅れている。
　【００１１】
　なお、この和信号の各成分の“＊”は、デジタルチャンネルＬＤ，ＲＤの対応演奏信号ＳＢＬ，ＳＢＲより、時間軸上でそれぞれ進んでいることを示す。
　【００１２】
　このため、デジタルチャンネルＬＤ，ＲＤの演奏信号ＳＢＬ，ＳＢＲと、アナログチャンネルＲＡの演奏信号ＳＢＭとを重畳するときは、両演奏信号が干渉して、フェージング様の現象が発生し、再生音声の品位が劣化するという問題があった。
　【００１３】
　なお、アナログチャンネルＲＡのボーカル信号ＳＶも、演奏信号ＳＢＭと同様に、デジタルチャンネルＬＤ，ＲＤの演奏信号ＳＢＬ，ＳＢＲより時間軸上で進んでいるが、ボーカル信号と演奏信号との時間のずれは、再生音声の品位上、殆ど問題にはならない。
　【００１４】
　かかる点に鑑み、この発明の目的は、「音声多重デジタルディスク」の再生時に、ステレオ分離度の劣化や、フェージング様の現象の発生を防止して、再生音声の品位を向上させることができる音声信号再生装置を提供するところにある。
　【００１５】
　【課題を解決するための手段】
　この発明は、光ディスクから再生された再生信号から分離されたステレオ音声信号ＳＢＬ，ＳＢＲを伝送する１対の伝送路ＬＤ，ＲＤと、ステレオ音声信号の和信号ＳＢＭをそれぞれ伝送する第３及び第４の伝送路ＬＡ，ＲＡとを備え、この第３及び第４の伝送路の一方により第３の音声信号ＳＶを伝送するようにした音声信号再生装置において、上記再生信号から映像信号を分離すると共に表示手段に供給する映像信号分離手段と、第３及び第４の伝送路により伝送される音声信号の差信号を形成する差信号形成手段２１を設け、差信号ＳＶを１対の伝送路にそれぞれ供給するようにした音声信号再生装置である。
　【００１６】
　【作用】
　かかる構成によれば、和信号ＳＢＭが相殺され、第３の音声信号ＳＶだけが１対の伝送路ＬＤ，ＲＤにそれぞれ重畳されて、ステレオ分離度の劣化や、フェージング様の現象の発生が防止され、再生音声の品位が向上する。
　【００１７】
　【実施例】
　以下、図１を参照しながら、この発明による音声信号再生装置の一実施例について説明する。
　この発明の一実施例の構成を図１に示す。この図１において、前出図３に対応する部分には同一の符号を付して重複説明を省略する。
　【００１８】
　図１において、１は光学ピックアップであって、「音声多重デジタル方式」の光ディスクＤの記録面を走査し、光学ピックアップ１の再生出力が、高域フィルタ２、２つの帯域フィルタ３，４及び低域フィルタ５に共通に供給されて、前出図２に示すような、ＦＭ映像信号ＶＦＭ，ＦＭ音声信号ＡＦＭ及びデジタル音声信号ＰＣＭがそれぞれ分離される。
　【００１９】
　高域フィルタ２からのＦＭ映像信号ＶＦＭは復調器６に供給され、復調された映像信号が受像機７に供給される。
　【００２０】
　帯域フィルタ３，４からのＦＭ音声信号ＡＦＭは復調器８，９にそれぞれ供給される。
　【００２１】
　１０はＰＣＭ復調・信号処理回路であって、低域フィルタ５からのデジタル音声信号ＰＣＭが供給され、前述のように、例えば数十ｍｓの時間を要する所定の信号処理がなされて、その端子ＬＤ，ＲＤから出力されたステレオ演奏信号ＳＢＬ，ＳＢＲが、加算器１１，１２にそれぞれ供給される。
　【００２２】
　２１は差動増幅器であって、一方の復調器８の復調出力、即ち左アナログチャンネルのモノラル演奏信号ＳＢＭ（＝ＳＢＬ＊＋ＳＢＲ＊）が、端子ＬＡを介して、反転入力端子に供給されると共に、他方の復調器９の復調出力、即ち右アナログチャンネルのモノラル演奏信号ＳＢＭ及びボーカル信号ＳＶが、端子ＲＡを介して、非反転入力端子に供給される。差動増幅器２１の出力は、可変抵抗器１７を介して、加算器１１，１２にそれぞれ供給される。
　【００２３】
　なお、システム制御回路（図示せず）に制御されて、「音声多重デジタルディスク」の再生時にのみ、差動増幅器２１の出力経路が形成される。その余の構成は前出図３と同様である。
　【００２４】
　次に、この発明の一実施例の動作について説明する。
　【００２５】
　差動増幅器２１においては、左アナログチャンネルの信号ＳＢＭと、右アナログチャンネルの信号（ＳＢＭ＋ＳＶ）とのうち、双方の演奏信号ＳＢＭが相殺されて、ボーカル信号ＳＶのみが残存する差信号が形成され、可変抵抗器１７を介して、この差信号が、加算器１１，１２にそれぞれ供給される。
　【００２６】
　この実施例では、前述のような問題の原因となったモノラルの演奏信号ＳＢＭ＝ＳＢＬ＊＋ＳＢＲ＊が差動増幅器２１で相殺されて、ステレオの演奏信号ＳＢＬ，ＳＢＲに重畳されることがないので、両演奏信号の干渉による、ステレオ分離度の劣化や、フェージング様の現象の発生が防止されて、再生音声の品位が向上する。
　【００２７】
　【発明の効果】
　以上詳述のように、この発明によれば、光ディスクから再生された再生信号から分離されたデジタルステレオ演奏信号を伝送する１対の伝送路と、アナログモノラル演奏信号をそれぞれ伝送する第３及び第４の伝送路とを備え、この第３及び第４の伝送路の一方によりボーカル信号を伝送するようにした、いわゆる「カラオケ」様の音声信号再生装置において、再生信号から映像信号を分離すると共に表示手段に供給する映像信号分離手段と、第３及び第４の伝送路により伝送される音声信号の差信号を形成する差信号形成手段を設けて、アナログモノラル演奏信号を相殺し、ボーカル信号のみをデジタルステレオ演奏信号に重畳するようにしたので、デジタル及びアナログの両演奏信号間の干渉を防止することができて、再生音声の品位を向上させることができる音声信号再生装置が得られる。
【図面の簡単な説明】
　【図１】
　本発明による音声信号再生装置の一実施例の構成を示すブロック図である。
　【図２】
　本発明を説明するための周波数スペクトル図である。
　【図３】
　従来の音声信号再生装置の構成例を示すブロック図である。
　【符号の説明】
　１‥‥光学ピックアップ、８，９‥‥ＦＭ復調器、１０‥‥ＰＣＭ復調・信号処理回路、１１，１２‥‥加算器、２１‥‥差動増幅器、Ｄ‥‥音声多重デジタルディスク